(57)【特許請求の範囲】
【請求項１】
所定の符号化方式で符号化処理が施された音声データを、それぞれにヘッダ情報が含まれる複数の単位データに分割して、記録媒体に記録する音声情報記録装置において、
前記単位データ中に含まれる音声データ成分のみを、前記所定の符号化方式と同じ符号化方式で符号化処理が施された他の音声データに置き換えて、前記記録媒体に記録する制御手段を具備してなることを特徴とする音声情報記録装置。
【請求項２】
前記制御手段は、前記記録媒体から読み取った前記単位データから、該単位データ中に含まれる音声データ成分のサイズとその記録開始位置とを示す情報を生成し、この情報に基づいて、前記単位データ中に含まれる音声データ成分のみを、前記所定の符号化方式と同じ符号化方式で符号化処理が施された他の音声データに置き換えて、前記記録媒体に記録することを特徴とする請求項１記載の音声情報記録装置。
【請求項３】
前記単位データはオーディオパックであり、前記符号化方式には、ＡＣ−３、リニアＰＣＭ、ＭＰＥＧのいずれかが含まれることを特徴とする請求項１記載の音声情報記録装置。
【請求項４】
所定の符号化方式で符号化処理が施された音声データを、それぞれにヘッダ情報が含まれる複数の単位データに分割して、記録媒体に記録する音声情報記録方法において、
前記単位データ中に含まれる音声データ成分のみを、前記所定の符号化方式と同じ符号化方式で符号化処理が施された他の音声データに置き換えて、前記記録媒体に記録することを特徴とする音声情報記録方法。
【請求項５】
前記記録媒体から読み取った前記単位データから、該単位データ中に含まれる音声データ成分のサイズとその記録開始位置とを示す情報を生成し、この情報に基づいて、前記単位データ中に含まれる音声データ成分のみを、前記所定の符号化方式と同じ符号化方式で符号化処理が施された他の音声データに置き換えて、前記記録媒体に記録することを特徴とする請求項４記載の音声情報記録方法。
【請求項６】
前記単位データはオーディオパックであり、前記符号化方式には、ＡＣ−３、リニアＰＣＭ、ＭＰＥＧのいずれかが含まれることを特徴とする請求項４記載の音声情報記録方法。
【発明の詳細な説明】
【０００１】
【発明の属する技術分野】
この発明は、例えば記録可能なＤＶＤ（Digital Versatile Disc）等を記録媒体として、音声情報のアフターレコーディング処理を行なう音声情報記録装置及び音声情報記録方法の改良に関する。
【０００２】
【従来の技術】
周知のように、例えば記録可能なＤＶＤ等の記録媒体において、音声情報のアフターレコーディング処理を行なう場合、一般的なアナログＶＴＲ（Video Tape Recorder）のように、ストリームに対して直接アフターレコーディング用の音声情報を記録することは、データ構造上困難である。また、ＭＰＥＧ（Moving Picture Image Coding Experts Group）ストリームとして、タイムスタンプの連続性を保証することも困難になる。
【０００３】
この問題に対処するために、従来より、例えば、特開平１１−２９８８４５号公報に記載されるようなアフターレコーディング処理手段が開発されている。これは、アフターレコーディング用の音声データをＭＰＥＧストリームとして、記録媒体である光ディスク上でオリジナルストリームとは別の領域に記録するようにしたものである。
【０００４】
この場合、アフターレコーディング用音声データの各パックのデコーダバッファへの入力開始時刻（ＳＣＲ）、アフターレコーディング用音声データの各パケットに付与されている音声データの表示時刻（ＰＴＳ）、アフターレコーディング用音声データの各パケットのペイロードサイズ、アフターレコーディング用音声データに付与されているストリームＩＤ等を、オリジナル音声データと同一の値にして記録している。
【０００５】
そして、再生時には、アフターレコーディング用音声データに伴なって記録されたＳＣＲ等の情報が一致するオリジナル音声データを検索し、それをアフターレコーディング用音声データと入れ替えて再生するものである。
【０００６】
【発明が解決しようとする課題】
しかしながら、上記のような従来のアフターレコーディング処理手段では、アフターレコーディング用の音声データをＭＰＥＧストリームの形式に変換して記録しているため、その変換処理に時間を要し、アフターレコーディング用音声データのリアルタイム記録が困難になるという問題を有している。
【０００７】
そこで、この発明は上記事情を考慮してなされたもので、アフターレコーディング用の音声データをＭＰＥＧストリームの形式に変換する処理を省き、アフターレコーディング用音声データのリアルタイム記録を容易に実現して、実用に適するようにした極めて良好な音声情報記録装置及び音声情報記録方法を提供することを目的とする。
【０００８】
【課題を解決するための手段】
まず、この発明に係る音声情報記録装置は、所定の符号化方式で符号化処理が施された音声データを、それぞれにヘッダ情報が含まれる複数の単位データに分割して、記録媒体に記録するものを対象としている。そして、単位データ中に含まれる音声データ成分のみを、所定の符号化方式と同じ符号化方式で符号化処理が施された他の音声データに置き換えて、記録媒体に記録する制御手段を備えるようにしたものである。
【０００９】
また、この発明に係る音声情報記録方法は、所定の符号化方式で符号化処理が施された音声データを、それぞれにヘッダ情報が含まれる複数の単位データに分割して、記録媒体に記録する方法を対象としている。そして、単位データ中に含まれる音声データ成分のみを、所定の符号化方式と同じ符号化方式で符号化処理が施された他の音声データに置き換えて、記録媒体に記録するようにしたものである。
【００１０】
上記のような構成及び方法によれば、単位データ中に含まれる音声データ成分のみを、所定の符号化方式と同じ符号化方式で符号化処理が施された他の音声データに置き換えて、記録媒体に記録するようにしたので、アフターレコーディング用の音声データを従来のようにＭＰＥＧストリームの形式に変換する処理を省くことができ、アフターレコーディング用音声データのリアルタイム記録を容易に実現して実用に適するものとなる。
【００１１】
【発明の実施の形態】
以下、この発明の実施の形態について、図面を参照して詳細に説明する。図１は、この実施の形態で説明する光ディスク記録再生装置の概略を示している。この場合、オリジナルの映像・音声データは、既にＭＰＥＧストリームの形式に変換されて記録媒体である光ディスク１１に記録されており、音声データの符号化方式は、ＡＣ−３、ビットレートは３８４ｋｂｐｓであるものとする。
【００１２】
まず、アフターレコーディングを開始するために、ユーザからの再生要求に基づいて、ディスクドライブ部１２により、既に光ディスク１１に記録されているオリジナルの映像・音声データを再生する。
【００１３】
このディスクドライブ部１２が光ディスク１１から読み出したオリジナルの映像・音声データは、一旦トラックバッファ１３に格納された後、復号化部１４に読み出されて復号化処理が施されることにより、映像データが映像出力端子１５から取り出され、音声データが音声出力端子１６から取り出される。
【００１４】
そして、ユーザは、各出力端子１５，１６から取り出される映像及び音声に合わせて、アフターレコーディングを実行する。アフターレコーディング用のアナログ音声データは、Ａ／Ｄ（Analogue／Digital）変換された後、音声入力端子１７から入力され、ミクシング部１８を介して符号化部１９に供給されて符号化処理が施される。
【００１５】
この場合、符号化部１９は、復号化部１４の音声出力タイミングに同期して音声符号化処理を開始する。また、このときの音声符号化方式は、オリジナルの音声データの符号化方式と同じＡＣ−３であり、ビットレートもオリジナル音声データのビットレート３８４ｋｂｐｓと同一であるものとする。
【００１６】
さらに、このとき、復号化部１４は、詳細は後述するが、復号化処理を施して出力したオリジナルの音声データのうち、アフターレコーディング用音声データによって置き換えられるオーディオパックのオーディオデータ領域について、そのサイズとトラックバッファ１３内における先頭アドレスとを算出し、それらの情報を符号化部１９に出力している。
【００１７】
上記符号化部１９によって符号化処理が施されたアフターレコーディング用音声データ（エレメンタリストリーム）は、置換部２０に供給される。この置換部２０は、先に復号化部１４で算出されたオーディオデータ領域のサイズと先頭アドレスとに基づいて、トラックバッファ１３に記録されたオリジナル音声データに対し、そのオーディオパック内のオーディオデータ領域の内容をアフターレコーディング用音声データ（エレメンタリストリーム）に置き換えるように制御し、ディスクドライブ部１２を介して光ディスク１１に再記録させる。
【００１８】
図２（ａ）は、オリジナル音声データのオーディオパック内のオーディオデータ領域の内容を、アフターレコーディング用音声データ（エレメンタリストリーム）に置き換えることについて示している。
【００１９】
すなわち、ＡＣ−３方式で符号化処理が施されたオリジナル音声データのオーディオパックは、パックヘッダ領域、パケットヘッダ領域、サブストリームＩＤ領域、オーディオフレーム情報領域、オーディオデータ領域を有している。そして、上記復号化部１４は、オーディオデータ領域のサイズとそのトラックバッファ１３内における先頭アドレスとを算出する。
【００２０】
一方、符号化部１９は、入力されたアフターレコーディング用の音声データにＡＣ−３方式の符号化処理を施して、アフターレコーディング用音声データ（エレメンタリストリーム）を生成する。
【００２１】
そして、置換部２０は、入力されたアフターレコーディング用音声データ（エレメンタリストリーム）から、算出されたオーディオデータ領域のサイズ分に対応する量のデータを、算出されたオーディオデータ領域の先頭アドレスからトラックバッファ１３に書き込み、ここに、オリジナル音声データのオーディオパック内のオーディオデータ領域の内容が、アフターレコーディング用音声データ（エレメンタリストリーム）に置き換えられることになる。
【００２２】
図３は、上記したアフターレコーディング処理動作をまとめたフローチャートを示している。まず、開始（ステップＳ１１）され、ステップＳ１２で、アフターレコーディング処理が要求されると、ステップＳ１３で、光ディスク１１から管理情報が取得される。
【００２３】
この管理情報としては、例えば、音声符号化方式、ビットレート、チャンネル数、アプリケーションフラグ（ビデオオブジェクトＶＯＢの途中で音声チャンネル数が変化する場合に１がセットされる）等である。
【００２４】
次に、ステップＳ１４で、オリジナル音声データから１つのオーディオパックが読み取られ、ステップＳ１５で、その読み取ったオーディオパックのオーディオデータ領域の、トラックバッファ１３内における先頭アドレスが算出される。この先頭アドレスは、音声データがＡＣ−３方式で符号化されている場合、オーディオパック先頭アドレス＋（１４＋４＋PES＿header＿data＿length＋４）番地として算出される。
【００２５】
また、ステップＳ１６で、その読み取ったオーディオパックのオーディオデータ領域のサイズが算出される。このサイズは、音声データがＡＣ−３方式で符号化されている場合、PES＿packet＿length−（４＋PES＿header＿data＿length＋４）バイトとして算出される。
【００２６】
その後、ステップＳ１７で、オリジナル音声データのオーディオパックが復号化処理され、ステップＳ１８で、音声出力端子１６から音声データとして出力される。
【００２７】
次に、ステップＳ１９で、音声入力端子１７に入力されたアフターレコーディング用の音声データが符号化処理されてエレメンタリストリームが生成され、ステップＳ２０で、そのエレメンタリストリームがステップＳ１６で算出したサイズに切り出され、ステップＳ２１で、切り出されたストリームがトラックバッファ１３にステップＳ１５で算出した先頭アドレスから記録される。
【００２８】
その後、ステップＳ２２で、トラックバッファ１３からオーディオデータ領域が書き替えられたオーディオパックが読み出され、ディスクドライブ部１２を介して光ディスク１１に再記録される。
【００２９】
そして、ステップＳ２３で、次にオーディオデータ領域の内容を書き替えるべきオーディオパックが存在するか否かを判別し、存在する場合（ＹＥＳ）にはステップＳ１４の処理に戻され、存在しない場合（ＮＯ）には、終了（ステップＳ２４）される。
【００３０】
上記した実施の形態によれば、アフターレコーディング処理時に、オリジナル音声データのオーディオパックの中のオーディオデータ領域のみを、アフターレコーディング用音声データ（エレメンタリストリーム）に置き換えるようにしたので、アフターレコーディング用の音声データを従来のようにＭＰＥＧストリームの形式に変換する処理を省くことができ、アフターレコーディング用音声データのリアルタイム記録を容易に実現して実用に適するものとなる。
【００３１】
なお、上記した実施の形態では、オリジナル音声データがＡＣ−３方式で符号化処理されている場合について説明したが、オリジナル音声データが、例えば、リニアＰＣＭ（Pulse Code Modulation）方式やＭＰＥＧ方式で符号化処理されている場合でも、同様に実施することができる。
【００３２】
図２（ｂ）は、オリジナル音声データがリニアＰＣＭ方式で符号化処理されている場合に、そのオーディオパック内のオーディオデータ領域の内容を、アフターレコーディング用音声データ（エレメンタリストリーム）に置き換えることについて示している。
【００３３】
すなわち、リニアＰＣＭ方式で符号化処理が施されたオリジナル音声データのオーディオパックは、パックヘッダ領域、パケットヘッダ領域、サブストリームＩＤ領域、オーディオフレーム情報領域、オーディオデータ情報領域、オーディオデータ領域を有している。
【００３４】
そして、オーディオデータ領域のサイズとそのトラックバッファ１３内における先頭アドレスとが算出され、オーディオデータ領域の内容が、符号化部１９によりリニアＰＣＭ方式の符号化処理が施されたアフターレコーディング用音声データ（エレメンタリストリーム）に置き換えられることになる。
【００３５】
このように、音声データがリニアＰＣＭ方式で符号化されている場合の先頭アドレスは、オーディオパック先頭アドレス＋（１４＋４＋PES＿header＿data＿length＋７）番地として算出される。また、オーディオデータ領域のサイズは、PES＿packet＿length−（４＋PES＿header＿data＿length＋７）バイトとして算出される。
【００３６】
また、図２（ｃ）は、オリジナル音声データがＭＰＥＧ方式で符号化処理されている場合に、そのオーディオパック内のオーディオデータ領域の内容を、アフターレコーディング用音声データ（エレメンタリストリーム）に置き換えることについて示している。
【００３７】
すなわち、ＭＰＥＧ方式で符号化処理が施されたオリジナル音声データのオーディオパックは、パックヘッダ領域、パケットヘッダ領域、オーディオデータ領域を有している。
【００３８】
そして、オーディオデータ領域のサイズとそのトラックバッファ１３内における先頭アドレスとが算出され、オーディオデータ領域の内容が、符号化部１９によりＭＰＥＧ方式の符号化処理が施されたアフターレコーディング用音声データ（エレメンタリストリーム）に置き換えられることになる。
【００３９】
このように、音声データがＭＰＥＧ方式で符号化されている場合の先頭アドレスは、オーディオパック先頭アドレス＋（１４＋４＋PES＿header＿data＿length）番地として算出される。また、オーディオデータ領域のサイズは、PES＿packet＿length−（４＋PES＿header＿data＿length）バイトとして算出される。
【００４０】
なお、図１に示したミクシング部１８は、復号化部１４から出力されるオリジナルの音声データと、音声入力端子１７に入力されたアフターレコーディング用の音声データとを混合して符号化部１９に導く第１の機能と、音声入力端子１７に入力されたアフターレコーディング用の音声データのみを符号化部１９に導く第２の機能とを有しており、この第１の機能と第２の機能とは、必要に応じて切り替えられるようになっている。
【００４１】
また、上記した実施の形態では、トラックバッファ１３内におけるオーディオデータ領域の先頭アドレスを算出するようにしたが、これに限らず、例えば、この先頭アドレスを光ディスク１１上のアドレスとし、光ディスク１１に記録されているオーディオパックのオーディオデータ領域の内容を直接書き替えるようにすることも可能である。
【００４２】
なお、この発明は上記した実施の形態に限定されるものではなく、この外その要旨を逸脱しない範囲で種々変形して実施することができる。
【００４３】
【発明の効果】
以上詳述したようにこの発明によれば、アフターレコーディング用の音声データをＭＰＥＧストリームの形式に変換する処理を省き、アフターレコーディング用音声データのリアルタイム記録を容易に実現して、実用に適するようにした極めて良好な音声情報記録装置及び音声情報記録方法を提供することができる。
【図面の簡単な説明】
【図１】この発明の実施の形態を示すもので、光ディスク記録再生装置の概略を説明するために示すブロック構成図。
【図２】同実施の形態におけるオリジナル音声データのオーディオデータ領域の内容をエレメンタリストリームに置き換えることを説明するために示す図。
【図３】同実施の形態におけるアフターレコーディング処理動作を説明するために示すフローチャート。
【符号の説明】
１１…光ディスク、
１２…ディスクドライブ部、
１３…トラックバッファ、
１４…復号化部、
１５…映像出力端子、
１６…音声出力端子、
１７…音声入力端子、
１８…ミクシング部、
１９…符号化部、
２０…置換部。
【図１】
0003910805.tif 000002
【図２】
0003910805.tif 000003
【図３】
0003910805.tif 000004